(57)【要約】【課題】消費電力を抑制しつつ特定微弱電波を検出する感度を向上させる。【解決手段】受信用のアンテナＡ１と、特定電波検出回路１０と、電力供給制御回路３と、負荷回路４１と、電池４２とを具備する。特定電波検出回路１０は、特定電波だけを捕らえるように並列共振周波数が調整された同調回路１と、同調回路１で得た電圧Ｖ１を３倍以上に昇圧した検出電圧Ｖ８を出力する高電圧発生回路２とからなる。電力供給制御回路３は、検出電圧Ｖ８が低電圧となる待ち受け時にはスイッチング素子３１をオフ状態にして負荷回路４１に電力を供給せず、検出電圧Ｖ８が高電圧となる特定電波受信時にはスイッチング素子３１をオン状態にして負荷回路４１に電力を供給する。【効果】特定電波を無電源で検出可能にすると共に、検出感度を向上できる。【選択図】　図１
2004015463.tif 000002
【特許請求の範囲】
【請求項１】
電波の受信信号が入力され且つ選定周波数成分を抽出するフィルタ手段（１）と、前記フィルタ手段（１）の抽出信号を無電源で３倍以上に昇圧して出力する高電圧発生手段（２，２’）とを具備したことを特徴とする特定電波検出回路（１０，１０’）。
【請求項２】
請求項１に記載の特定電波検出回路（１０，１０’）において、前記高電圧発生手段（２，２’）は、コッククロフト回路であることを特徴とする特定電波検出回路（１０，１０’）。
【請求項３】
請求項１または請求項２に記載の特定電波検出回路（１０，１０’）において、前記フィルタ手段（１）は、共振用コイル（Ｌ１）および共振用コンデンサ（ＶＣ１）を並列接続してなる同調回路であることを特徴とする特定電波検出回路（１０，１０’）。
【請求項４】
負荷回路（４１）と、請求項１から請求項３のいずれかに記載の特定電波検出回路（１０）と、前記特定電波検出回路（１０）で特定電波を検出したときに前記負荷回路（４１）に電力を供給する電力供給制御回路（３）とを具備したことを特徴とする可搬型受信機（１００）。
【発明の詳細な説明】
【０００１】
【発明の属する技術分野】
本発明は、特定電波検出回路および可搬型受信機に関し、さらに詳しくは、消費電力を抑制しつつ特定微弱電波を検出する感度を向上させた特定電波検出回路および可搬型受信機に関する。
【０００２】
【従来の技術】
受信機や携帯電話で、特定微弱電波を共振回路を用いて捕らえても、信号が微弱なため、感度が悪い。電波の受信感度を高めるためには、増幅回路を設ければよいが、増幅回路での消費電力が増大してしまう。
【０００３】
【発明が解決しようとする課題】
そこで、本発明の目的は、消費電力を抑制しつつ特定微弱電波を検出する感度を向上させた特定電波検出回路および可搬型受信機を提供することにある。
【０００４】
【課題を解決するための手段】
第１の観点では、本発明は、電波の受信信号が入力され且つ選定周波数成分を抽出するフィルタ手段（１）と、前記フィルタ手段（１）の抽出信号を無電源で３倍以上に昇圧して出力する高電圧発生手段（２，２’）とを具備したことを特徴とする特定電波検出回路（１０，１０’）を提供する。
上記第１の観点による特定電波検出回路（１０，１０’）では、フィルタ手段（１）で捕らえた信号を、無電源の高電圧発生手段（２，２’）で昇圧して取り出すので、消費電力を抑制できるようになる。また、３倍以上の昇圧により信号が増幅されるので、特定微弱電波を検出する感度を向上できるようになる。
【０００５】
第２の観点では、本発明は、上記構成の特定電波検出回路（１０，１０’）において、前記高電圧発生手段（２，２’）は、コッククロフト回路であることを特徴とする特定電波検出回路（１０，１０’）を提供する。
上記第２の観点による特定電波検出回路（１０，１０’）では、高電圧発生手段（２，２’）としてコッククロフト回路を採用したので、構成を簡単に出来る。
【０００６】
第３の観点では、本発明は、上記構成の特定電波検出回路（１０，１０’）において、前記フィルタ手段（１）は、共振用コイル（Ｌ１）および共振用コンデンサ（ＶＣ１）を並列接続してなる同調回路であることを特徴とする特定電波検出回路（１０，１０’）を提供する。
上記第３の観点による特定電波検出回路（１０，１０’）では、フィルタ手段（１）として、共振用コイル（Ｌ１）および共振用コンデンサ（ＶＣ１）の並列回路を採用したので、特定電波を効率よく捕らえることが出来る。
【０００７】
第４の観点では、本発明は、負荷回路（４１）と、上記構成の特定電波検出回路（１０）と、前記特定電波検出回路（１０）で特定電波を検出したときに前記負荷回路（４１）に電力を供給する電力供給制御回路（３）とを具備したことを特徴とする可搬型受信機（１００）を提供する。
上記第４の観点による可搬型受信機（１００）では、負荷回路（４１）に電力が供給されるのが特定電波を検出したときだけなので、待ち受け時の消費電力を極めて抑制できるようになる。また、高感度の特定電波検出回路（１）を具備するので、微弱な特定電波を受信できるようになる。
【０００８】
【発明の実施の形態】
以下、図に示す実施の形態により本発明をさらに詳細に説明する。なお、これにより本発明が限定されるものではない。
【０００９】
−第１の実施形態−
図１は、本発明の第１の実施形態にかかる可搬型受信機１００を示す構成図である。
この可搬型受信機１００は、受信用のアンテナＡ１および絶縁用コンデンサＣ１と、特定電波検出回路１０（同調回路１および高電圧発生回路２）と、電力供給制御回路３と、ブザーなどの負荷回路４１と、電池４２とを具備して構成されている。
【００１０】
同調回路１は、共振用コイルＬ１および共振用可変コンデンサＶＣ１の並列回路である。共振用コイルＬ１のインダクタンスおよび共振用可変コンデンサＶＣ１の容量は、並列共振周波数が特定電波の周波数となるように調整されている。
【００１１】
高電圧発生回路２は、入力電圧を３倍以上８倍以下に昇圧するコッククロフト（ｃｏｃｋｃｒｏｆｔ）回路である。図示例では、一端が共振用可変コンデンサＶＣ１の一端に接続された高電圧発生用コンデンサ（以下、コンデンサ）Ｃ２と、カソードがコンデンサＣ２の他端に接続され且つアノードが接地された高電圧発生用ショットキーバリアダイオード（以下、ダイオード）Ｄ１と、一端がダイオードＤ１のアノードに接続されたコンデンサＣ３と、アノードがダイオードＤ１のカソードに接続され且つカソードがコンデンサＣ３の他端に接続されたダイオードＤ２と、一端がダイオードＤ２のアノードに接続されたコンデンサＣ４と、カソードがコンデンサＣ４の他端に接続され且つアノードがダイオードＤ２のカソードに接続されたダイオードＤ３と、一端がダイオードＤ３のアノードに接続されたコンデンサＣ５と、アノードがダイオードＤ３のカソードに接続され且つカソードがコンデンサＣ５の他端に接続されたダイオードＤ４と、一端がダイオードＤ４のアノードに接続されたコンデンサＣ６と、カソードがコンデンサＣ６の他端に接続され且つアノードがダイオードＤ４のカソードに接続されたダイオードＤ５と、一端がダイオードＤ５のアノードに接続されたコンデンサＣ７と、アノードがダイオードＤ５のカソードに接続され且つカソードがコンデンサＣ７の他端に接続されたダイオードＤ６と、一端がダイオードＤ６のカソードに接続され且つ他端が接地された放電抵抗Ｒとからなる
Ｖ１は、同調回路１から取り出された電圧である。Ｖ２は、ダイオードＤ２のカソード電圧である。Ｖ４は、ダイオードＤ４のカソード電圧である。Ｖ８は、ダイオードＤ６のカソード電圧すなわち検出電圧である。
【００１２】
電力供給制御回路３は、トランジスタなどのスイッチング素子３１と、高電圧発生回路２から送られた検出電圧Ｖ８に基づいてスイッチング素子３１へバイアス電圧Ｂを出力するオペアンプ３２とを具備する。
【００１３】
次に、可搬型受信機１００の動作について説明する。
図２の（ａ）に示すように、親機（図示せず）から特定の周波数ｆ（例えば３１５ＭＨｚ）の微弱電波を受信する。
図２の（ｂ）に示すように、微弱電波の受信時に、図１の電圧Ｖ１は、周波数ｆで交流的に変化する。ａは、電圧の振幅である。
図２の（ｃ）（ｄ）（ｅ）に示すように、微弱電波の受信時に、図１の電圧Ｖ２は２・ａとなり、図１の電圧Ｖ４は４・ａとなり、図１の検出電圧Ｖ８は８・ａとなる。
【００１４】
したがって、電力供給制御回路３のオペアンプ３２の非反転入力端子には、同調回路１から取り出された電圧Ｖ１を８倍に昇圧した検出電圧Ｖ８が入力される。したがって、図２の（ｆ）に示すように、Ｖ８≧Ｖｒとなると、スイッチング素子３１がバイアス電圧Ｂによりオン状態に切り替わり、電池４２から負荷回路４１に電力が供給される。これにより、例えば可搬型受信機１００を携帯用無線呼出機として使用した場合の呼出音が発生する。また、例えば博物館や美術館の展示物の盗難防止機や、デパートやスーパーの販売商品の万引き防止用タグとして使用した場合の警報音が発生する。
【００１５】
以上の可搬型受信機１００では、高電圧発生回路２から出力される検出電圧Ｖ８が高電圧になる特定電波受信時だけ負荷回路４１へ電力を供給するので、待ち受け時の消費電力を抑制すると共に、特定微弱電波に対する受信感度を向上できるようになる。
【００１６】
−第２の実施形態−
図３は、本発明の第２の実施形態にかかる可搬型受信機２００を示す構成図である。
この可搬型受信機２００は、受信用のアンテナＡ１および絶縁用コンデンサＣ１と、特定電波検出回路１０’（同調回路１および高電圧発生回路２’）と、発振回路５１と、高インピーダンスのイヤホン５２とを具備して構成されている。高電圧発生回路２’は、図１の高電圧発生回路２から放電抵抗Ｒを除いた構成である。
【００１７】
この可搬型受信機２００では、特定電波受信時に高電圧発生回路２’から出力される検出電圧Ｖ８’により発振回路５１を駆動し、イヤホン５２内の振動板を振動させる。この振動音により、イヤホン５２の装用者に、呼出や警報を知らせる。
【００１８】
以上の可搬型受信機２００では、微弱な信号で音を出力可能なイヤホン５２を採用したので、電源が不要となり、電池交換の手間とコストを省くことが出来る。
【００１９】
【発明の効果】
本発明の特定電波検出回路によれば、特定電波を無電源で検出できるようになる。また、特定電波を捕らえた信号を昇圧して取り出すので、検出感度を向上できる。
【００２０】
本発明の可搬型受信機によれば、次の効果が得られる。
（１）待ち受け時の消費電力を極めて抑制可能なので、負荷回路を電池駆動する場合でも、電池交換の頻度を低減できる。また、ランニングコストを節減できる。
（２）高感度で特定電波を受信できるようになる。
（３）小型で安価な電池を採用できる。従って、携帯性を向上できると共に製造コストを節減できる。
【図面の簡単な説明】
【図１】本発明の第１の実施形態にかかる可搬型受信機を示す構成図である。
【図２】図１の可搬型受信機の各部の波形図である。
【図３】本発明の第２の実施形態にかかる可搬型受信機を示す構成図である。
【符号の説明】
１００，２００　可搬型受信機
１　　　　　　　同調回路
２，２’　　　　高電圧発生回路
３　　　　　　　電力供給制御回路
１０，１０’　　特定電波検出回路
３１　　　　　　スイッチング素子
３２　　　　　　オペアンプ
４１　　　　　　負荷回路
４２　　　　　　電池
５１　　　　　　発振回路
５２　　　　　　イヤホン
Ａ１　　　　　　アンテナ
Ｃ１　　　　　　絶縁用コンデンサ
Ｃ２〜Ｃ７　　　高電圧発生用コンデンサ
Ｄ１〜Ｄ６　　　高電圧発生用ショットキーバリアダイオード
Ｌ１　　　　　　共振用コイル
Ｒ　　　　　　　放電抵抗
ＶＣ１　　　　　共振用可変コンデンサ
【図１】
2004015463.tif 000003
【図２】
2004015463.tif 000004
【図３】
2004015463.tif 000005